(57)【特許請求の範囲】
【請求項１】
電子部品が収容された底カバー部材と、
操作ボタンが搭載され前記底カバー部材と共同して前記電子部品を覆って該底カバー部材にネジ止めされる、前記操作ボタンの配置位置が互いに異なり該操作ボタン配置位置に開口を有する第１上カバー部材および第２上カバー部材の中から選択的に使用された上カバー部材とを有し、
前記操作ボタンが、
ネジ止め用の貫通孔が形成された固定部材と、該固定部材に固定された基板と、該基板に搭載されたスイッチとを有し、前記上カバー部材裏面側に配置されたスイッチモジュールと、
前記スイッチを覆って前記開口から前記上カバー部材表面に露出し、押下操作を受けて該スイッチを押下するスイッチカバーとを有し、
前記第１の上カバー部材および前記第２の上カバー部材双方が、裏面に、前記底カバー部材に向かって立設しネジ穴が形成された２つのボスを有し、
前記底カバー部材が前記２つのボスに対向する位置に２つのネジ止め用の穴を有し、
前記第１の上カバー部材が、前記固定部材を、前記貫通孔が前記２つのボスのうちの一方である第１のボスのネジ穴に連通する位置に位置規制する第１の位置規制部を有し、
前記第２の上カバー部材が、前記固定部材を、前記貫通孔が前記２つのボスのうちの他方である第２のボスのネジ穴に連通する位置に位置規制する第２の位置規制部を有し、
前記底カバー部材の前記２つのネジ止め用の穴および前記上カバー部材の２つのボスに設けられたネジ穴を使った該底カバー部材と該上カバー部材とのネジ止めにより前記固定部材が共締めされていることを特徴とする電子機器。
【請求項２】
前記第１の上カバー部材は、該第１のカバー部材の前記第１のボスが、前記第２のカバー部材の前記第１のボスよりも、前記固定部材の前記貫通孔が形成された部分の厚み分だけ相対的に低い高さに形成され、
前記第２の上カバー部材は、該第２の上カバー部材の前記第２のボスが、前記第１の上カバー部材の前記第２のボスよりも、前記固定部材の前記貫通孔が形成された部分の厚み分だけ相対的に低い高さに形成されていることを特徴とする請求項１記載の電子機器。
【請求項３】
当該電子機器が、画像を表示する表示画面と、該表示画面上のカーソルを移動させるタッチパッドおよび左右の操作ボタンを有するポインティングデバイスとを有し、
前記スイッチモジュールが、１つの前記固定部材および１つの前記基板と、該基板上に搭載された左右のスイッチとを有し、
前記スイッチカバーが、前記左右のスイッチそれぞれを別々に覆って前記開口から前記上カバー部材表面に露出し、ぞれぞれ別々に押下操作を受けて各スイッチを別々に押下する、前記左右の各スイッチとともに左右それぞれの操作ボタンを形成する２つのスイッチカバーを有することを特徴とする請求項１又は２記載の電子機器。
【請求項４】
前記表示画面を有する表示ユニットと、
演算機能を有し、前記表示ユニットを、前記表示画面を立てた開状態と該表示画面を下向きにして閉じた閉状態との間で開閉自在に支持する本体ユニットとを有し、
前記底カバー部材および前記上カバー部材が、前記本体ユニットの筐体を構成する各部材であることを特徴とする請求項３記載の電子機器。
【請求項５】
前記第１の上カバー部材が、該第１の上カバー部材上面に、第１のホームポジションに第１のキーボードを搭載するとともに、前記ポインティングデバイスを、該第１のキーボードよりも手前側であって、左右方向について該第１のホームポジションに応じた位置に搭載し、
前記第２の上カバー部材が、該第２の上カバー部材上面に、前記第１のホームポジションとは左右方向に位置がずれた第２のホームポジションに第２のキーボードを搭載するとともに、前記ポインティングデバイスを、該第２のキーボードよりも手前側であって左右方向について該第２のホームポジションに応じた位置に搭載していることを特徴とする請求項４記載の電子機器。
【請求項６】
前記表示ユニットが、前記開状態における前記表示画面よりも上の位置に、前記表示画面が向く方向に突出したフックを有し、
前記本体ユニットが、前記表示ユニットが前記開状態から前記閉状態に移動したときに前記フックが入り込んで該フックを該本体ユニットに係止させるロック穴を有し、
前記２つのボスが、前記ロック穴を挟んだ左右それぞれに位置するボスであることを特徴とする請求項４又は５記載の電子機器。
【発明の詳細な説明】
【技術分野】
【０００１】
本件は、電子部品が収容された底カバー部材と、その電子部品を覆って底カバー部材にネジ止めされる、操作ボタンが搭載された上カバー部材とを有する電子機器に関する。
【背景技術】
【０００２】
例えばノート型パーソナルコンピュータ（以下、「ノートＰＣ」と略記する）には、一般的に、画像を表示する表示画面と、キーボードと、ポインティングデバイスが搭載されている。キーボードは、ユーザの入力操作により各種情報や指示の入力を受ける機器である。また、ポインティングデバイスは、表示画面上のカーソルの移動等を担う機器である。ノートＰＣに搭載されるポインティングデバイスとしては、表示画面上のカーソルを移動させるタッチパッドと左右の操作ボタンを有するタイプのものが一般的である。
【０００３】
また、ノートＰＣに搭載されるキーボードも大別してテンキー付きのキーボードとテンキーなしのノーマルキーボードが存在する。ポインティングデバイスは、テンキー付きか否かにかかわらず、左右方向について、そのノートＰＣに搭載されたキーボードのホームポジション（通常はＧキーとＨキーとの間）に配置される。これは、キーボードを操作しているユーザの手がポインティングデバイスに不用意に触れることを極力避けるためである。
【０００４】
ここで、他の仕様は互いに同一であってテンキー付きのキーボードを搭載したノートＰＣとテンキーなしのノーマルキーボードを搭載したノートＰＣの双方を同時に開発することを考える。それらの２機種類のノートＰＣについて、キーボードが搭載されるカバー部材自体は互いに異なるものの、それ以外の全部品を共通化することが、全体の部品点数や組立工程の削減の点から望まれることである。
【０００５】
また、この場合、組立作業も問題となる。それら２機種の組立作業を組立ラインを分けることなく、組立作業を統一化して一機種の組立てのような感覚で組立て作業を行なわせることが、組立作業の効率化や組立ミスの防止の観点から望ましい。
【０００６】
この点は、テンキー付き／テンキーなしのキーボードに限らず、同一タイプのキーボードであってもキーボードの配置位置が異なることによってホームポジションが異なる場合も同様である。
【０００７】
ここで、特許文献１には、例えばノートＰＣのような折り畳み及び展開可能な筐体を有する電子機器に使用されるロック部の両側をネジ止めする筐体構造が示されている。
【０００８】
また、特許文献２には、指紋センサが搭載された装置において指紋センサのグランド接触板とセンサ固定板が共締めで筐体に結合されることが記載されている。
【０００９】
しかしながら、これらの特許文献１，２の記載は、複数機種の組立作業の統一化には繋がらない。
【先行技術文献】
【特許文献】
【００１０】
【特許文献１】国際公開番号ＷＯ２００６／１１２２３２号公報
【特許文献２】特開２００２−１２３８２１号公報
【発明の概要】
【発明が解決しようとする課題】
【００１１】
本件の電子機器の課題は、互いに異なる位置に操作ボタンが配置された複数種類の電子機器の組立てを共通化することにある。
【課題を解決するための手段】
【００１２】
本件開示の電子機器は、電子部品が収容された底カバー部材と、操作ボタンが搭載され底カバー部材と共同して電子部品を覆って底カバー部材にネジ止めされる上カバー部材とを有する。
【００１３】
この上カバー部材は、操作ボタンの配置位置が互いに異なり操作ボタン配置位置に開口を有する第１上カバー部材および第２上カバー部材の中から選択的に使用された上カバー部材である。
【００１４】
また、上記操作ボタンは、スイッチモジュールとスイッチカバーとを有する。
【００１５】
スイッチモジュールは、ネジ止め用の貫通孔が形成された固定部材と、その固定部材に固定された基板と、その基板に搭載されたスイッチとを有し、上カバー部材裏面側に配置されたている。
【００１６】
また、スイッチカバーは、上記スイッチを覆って上記開口から上カバー部材表面に露出し、押下操作を受けて上記スイッチを押下する。
【００１７】
ここで、第１の上カバー部材および第２の上カバー部材は、それらの双方が、裏面に、底カバー部材に向かって立設しネジ穴が形成された２つのボスを有する。
【００１８】
また、底カバー部材は上記２つのボスに対向する位置に２つのネジ止め要の穴を有する。
【００１９】
さらに、第１の上カバー部材は、上記固定部材を、上記貫通孔が上記２つのボスのうちの一方である第１のボスのネジ穴に連通する位置に位置規制する第１の位置規制部を有する。
【００２０】
また、第２の上カバー部材は、上記固定部材を、上記貫通孔が上記２つのボスのうちの他方である第２のボスのネジ穴に連通する位置に位置規制する第２の位置規制部を有する。
【００２１】
ここで、底カバー部材の上記２つのネジ止め用の穴および上カバー部材の２つのボスに設けられたネジ穴を使った底カバー部材と上カバー部材とのネジ止めにより上記固定部材が共締めされている。
【発明の効果】
【００２２】
本件開示の電子機器によれば、第１の上カバー部材および第２の上カバー部材の双方について組立作業の共通化が図られる。
【図面の簡単な説明】
【００２３】
【図１】本件の電子機器の一実施形態としてのノートＰＣの外観斜視図である。
【図２】本件の電子機器のもう一つの実施形態としてのノートＰＣの外観斜視図である。
【図３】閉状態のノートＰＣの外観斜視図である。
【図４】図１に示すノートであって、本体ユニットＡのキーボードおよびそのキーボードよりも奥のカバー部品を取り外して示した斜視図である。
【図５】図１に示すノートＰＣの、図４に示す状態の上カバー部材の平面図である。
【図６】図２に示すノートＰＣの、図１のノートについての図５に対応する平面図である。
【図７】図１に示すノートＰＣの上カバー部材の内面を示した平面図である。
【図８】図７の長円Ａの部分の拡大平面図である。
【図９】図８の矢印Ａ−Ａに沿う断面図である。
【図１０】図２に示すノートＰＣの上カバー部材の内面を示した平面図である。
【図１１】図１０の長円Ｂの部分拡大平面図である。
【図１２】図１１の矢印Ｂ−Ｂに沿う断面図である。
【図１３】、スイッチモジュールを上カバー側から見たときの斜視図である。
【図１４】スイッチモジュールを上カバー部材の裏面に載せた状態を示す部分斜視図である。
【図１５】図１に示すノートＰＣにおいて、上カバー部材を下にし、その上に底カバー部材を逆さにして配置した分解斜視図である。
【図１６】図１に示すノートＰＣにおいて上カバー部材の上に底カバー部材を置き、２つのボスのうちの一方のみネジ止めした状態を示した図である。
【図１７】図１６の矢印Ｃ−Ｃに沿う断面図である。
【図１８】図２に示すノートＰＣにおける、図１５と同様の図である。
【図１９】図２に示すノートＰＣにおける、図１６と同様の図である。
【図２０】図２に示すノートＰＣにおける、図１７と同様の図である。
【図２１】比較例としてのスイッチモジュールとその固定方法を示す分解斜視図である。
【図２２】比較例としてのスイッチモジュールを固定した状態を示す平面図である。
【発明を実施するための形態】
【００２４】
以下、本件の実施形態を説明する。
【００２５】
図１は、本件の電子機器の一実施形態としてのノートＰＣの外観斜視図である。
【００２６】
このノートＰＣ１０Ａは、本体ユニット２０Ａと表示ユニット３０Ａとを有する。本体ユニット２０Ａは、その外形を画定する筐体１００Ａを有し、その筐体１００Ａは、上カバー部材１０１Ａと底カバー部材１０２Ａとを有する。底カバー部材１０２Ａには、ＣＰＵ（Ｃｅｎｔｒａｌ  Ｐｒｏｃｅｓｓｉｎｇ  Ｕｎｉｔ）等を搭載した回路基板（図示せず）をはじめとする様々な電子部品が収容されている。上カバー部材１０１Ａは、収容されている電子部品を底カバー部材１０２Ａと共同して覆って底カバー部材１０２Ａにネジ止めされている。
【００２７】
本体ユニット２０Ａには、キーボード２１Ａやポインティングデバイス２２Ａなどが備えられている。キーボード２１Ａは、テンキーなしの、いわゆるノーマルキーボードである。また、ポインティングデバイス２２Ａは、後述する表示画面３１Ａ上のカーソルを移動させるタッチパッド２２１Ａと、左右のクリックボタン２２２Ａとを有する。ここで、クリックボタン２２２Ａは、本件にいう操作ボタンの一例であるが、本件における操作ボタンは操作時に必ずしもクリックを伴うものである必要はない。また本体ユニット２１Ａにはその上面にロック穴２３Ａが形成されている。このロック穴２３Ａの作用については後述する。
【００２８】
一方、表示ユニット３０Ａはヒンジ４０Ａにより本体ユニット２０Ａに、表示画面３１Ａを図１に示すように立設させた開状態と、表示画面３１Ａを下に向けて本体ユニット２０上に閉じた閉状態との間で開閉自在に支持されている。
【００２９】
表示ユニット３０Ａには、上述の表示画面３１Ａのほか、開状態における表示画面３１Ａよりも上部に表示画面３１Ａが向く方向に突出したフック３２Ａを有し、さらに上端面にロック解除ボタン３３Ａを有する。このフック３２Ａは、表示ユニット３０Ａを本体ユニット２０Ａ上に閉じたときにロック穴２３Ａに入り込み、そのロック穴２３Ａ内で本体ユニット２０Ａに係止し、表示ユニット３０Ａを閉状態に保つ役割りを担っている。ロック解除ボタン３３Ａが押されるとフック３２Ａがロック穴Ａ内で横に移動して本体ユニット２０Ａとの係合が外れ、表示ユニット３０Ａを開状態に開くことができる。
【００３０】
図２は、本件の電子機器のもう一つの実施形態としてのノートＰＣの外観斜視図である。
【００３１】
図１に示すノートＰＣ１０Ａの各要素と対応する要素には、図１に付した各符号中の‘Ａ’を‘Ｂ’に代えた符号を付して示し相違点について説明する。
【００３２】
このノートＰＣ１０Ｂも、図１に示すノートＰＣ１０Ａと同じく、本体ユニット２０Ｂと表示ユニット３０Ｂとを有し、以下に説明する点以外は全く同じ構成、同じ寸法を有する。すなわち、図１に示すノートＰＣ１０Ａとの相違点は、
（１）本体ユニット２０Ｂに搭載されているキーボード２１Ｂがテンキー付きのキーボードであって、図１に示すノートＰＣ１０Ａのキーボード２１Ａと比べホームポジションが左に寄っていること。
（２）キーボードのホームポジションに合わせて、ポインティングデバイス２３Ｂの配置位置も左に寄っていること。ただし、配置位置の相違点を除き、ポインティングデバイス２３Ｂ自体は、図１におけるポインティングデバイス２３Ａと同一規格の部品である。
（３）上カバー部材１０１Ｂが、図１における上カバー部材１０１Ａとは別部品であること。これは、キーボード２１Ｂの形状が図１のキーボード２１Ａと異なることと、ポインティングデバイス２３Ａが左に寄っていることに起因する。ただし、それ以外は、例えば上カバー部材１０１Ｂの外形寸法やロック穴２３Ａの位置等は、図１における上カバー部材１０１Ａと同一である。
【００３３】
図１のノートＰＣ１０Ａと図２のノートＰＣ１０Ｂは、上記の（１）〜（３）以外の点は、同一の部材、同一の部品、同一のレイアウトのノートＰＣである。
【００３４】
ここでは、図１と図２に示す２機種のノートＰＣ１０Ａ，１０Ｂの組立にあたり、組立作業者にそれら２機種の相違点をほとんど意識させずに組み立てられるようにした構造について説明する。
【００３５】
尚、図３以降の各図のうち、図１に示すノートＰＣ１０Ａと図２に示すノートＰＣ１０Ｂとで共通の説明のための図では、図１や図２において付した符号から‘Ａ’や‘Ｂ’を削除した符号を付して示す。
【００３６】
図３は、閉状態のノートＰＣの外観斜視図である。
【００３７】
図１のノートＰＣ１０Ａと図２のノートＰＣ１０Ｂの外観上の相違点は本体ユニット２０Ａ,２０Ｂの上面である。この図３に示す閉状態では、本体ユニット２０Ａ，２０Ｂの上面はあらわれておらず、したがってこの閉状態の外観は図１のノートＰＣと図２のノートＰＣ１０Ｂとで共通である。
【００３８】
このように、図１に示すノートＰＣ１０Ａと図２に示すノートＰＣ１０Ｂは、全く同じ外形寸法を有し、本体ユニット上面以外のデザインも共通である。
【００３９】
図４は、図１に示すノートＰＣ１０Ａであって、本体ユニット２０Ａのキーボード２１Ａおよびそのキーボード２１Ａよりも奥（ヒンジ４０Ａ（図１参照）側）のカバー部品を取り外して示した斜視図である。また、図５は、図１に示すノートＰＣの、図４に示す状態の上カバー部材の平面図である。
【００４０】
本体ユニット２０Ａの筐体を構成する上カバー部材１０１Ａには、この図４に示すような開口２４Ａと、その開口に続く開口２５Ａが形成されている。開口２４Ａはキーボード２１Ａによって埋められ、奥側の開口２５Ａは別のカバー部品（図示せず）で覆われる。
【００４１】
図６は、図２に示すノートＰＣ１０Ｂの、図１のノートＰＣ１０Ａについての図５に対応する平面図である。
【００４２】
図６と図５と比べると分かるように、キーボードが配置される開口２４Ｂは、図５における開口２４Ａよりも左右に大きく開いており、ポインティングデバイス２２Ｂが、図５におけるポインティングデバイス２２Ａよりも左に寄っている。また、開口２５Ａ,２５Ｂは、同一寸法であって、これらの開口２５Ａ，２５Ｂを塞ぐカバー部品は、同一規格の部品である。
【００４３】
図７は、図１に示すノートＰＣの上カバー部材の内面を示した平面図である。また、図８は、図７の長円Ａの部分の拡大平面図、図９は、図８の矢印Ａ−Ａに沿う断面図である。
【００４４】
また、図１０は、図２に示すノートＰＣの上カバー部材の内面を示した平面図である。図１１は、図１０の長円Ｂの部分拡大平面図、図１２は図１１の矢印Ｂ−Ｂに沿う断面図である。
【００４５】
図７，図１０に示す上カバー部材１０１Ａ，１０１Ｂの内面側には、ポインティングデバイス２２Ａ，２２Ｂの背面が示されている。ここには、ポインティングデバイス２２Ａ，２２Ｂの一部品であるスイッチモジュール２２０Ａ，２２０Ｂも示されている。これらのポインティングデバイス２２Ａ，２２Ｂは、搭載位置は左右方向に互いにずれているものの、ポインティングデバイス２２Ａ，２２Ｂ自体は、スイッチモジュール２２０Ａ，２２０Ｂも含め同一規格のものである。
【００４６】
このポインティングデバイス２２Ａ，２２Ｂを構成するタッチパッド２２１Ａ，２２１Ｂ（図１，図２参照）は、本体ユニットの上面にあらわれたセンサカバーとそのセンサカバーの裏側に搭載されたセンサ基板２３０Ａ，２３０Ｂを有する。センサ基板２３０Ａ，２３０Ｂには、センサカバー表面に置いた指の位置を検出するセンサが搭載されている。センサカバー上で指を動かすとその指の動きがセンサ基板２３０Ａ，２３０Ｂのセンサで検知され、表示画面３１Ａ，３１Ｂ（図１，図２参照）上のカーソルがその指の動きに応じて移動する。また、ポインティングデバイス２２Ａ，２２Ｂを構成する左右のクリックボタン２２２Ａ,２２２Ｂは、図１，図２の本体ユニット２０Ａ,２０Ｂの上面にあらわれた左右のスイッチカバーとそれらのスイッチカバーの裏側に搭載されたスイッチモジュール２２０Ａ，２２０Ｂとを有する。スイッチモジュール２２０Ａ，２２０Ｂには、左右のスイッチカバーのそれぞれに対応した左右のスイッチが搭載されており。左右のスイッチカバーのいずれかが押下操作されると押されたスイッチカバーが下に変位してその下のスイッチを押下し、このノートＰＣ１０Ａ，１０Ｂに所要の動作を行なわさせる。
【００４７】
ここで、図７〜図１２の説明を一旦中断しスイッチモジュール自体について説明する。
【００４８】
図１３は、スイッチモジュールを上カバー側から見たときの斜視図である。
【００４９】
このスイッチモジュール２２０は、固定部材２２１と、その固定部材２２１上に固定されたスイッチ基板２２２と、そのスイッチ基板２２２上に搭載された左右２つのスイッチ２２３を有する。固定部材２２１にはネジ止め用の２つの穴２２１ａ，２２１ｂが形成されている。また、スイッチ基板２２２上の２つのスイッチ２２３は、左右のスイッチカバーそれぞれの真下位置し、左右のスイッチカバーのいずれかの押下操作により、その真下のスイッチが押下される。
【００５０】
図１４は、スイッチモジュールを上カバー部材の裏面に載せた状態を示す部分斜視図である。
【００５１】
この図１４には、図１に示すノートＰＣ１０Ａの上カバー１０１Ａの裏面のスイッチモジュール搭載部分周辺が示されている。ここには、スイッチモジュール２２０Ａの固定部材２２１の裏面（底カバー部材１０２Ａ（図１参照）側を向いた面）が示されている。上カバー部材１０２Ａの、スイッチモジュール２２０Ａの固定に関わる要素としては位置規制部１１０Ａ、それぞれにネジ穴が設けられた３つのボス１１１Ａ，１１２Ａ，１１３Ａがある。位置規制部１１０Ａは、鉤形状を有し、スイッチモジュール２２０Ａの固定部材２２１Ａの一部が図示のように嵌め込まれることにより、スイッチモジュール２２０Ａを位置規制する。また３つのボス１１１Ａ，１１２Ａ，１１３Ａのうちの１つのボス１１１Ａには、スイッチモジュール２２０Ａが位置規制部１１０Ａに位置規制された状態で固定部材２２０Ａの穴２２１ａＡが重なり、固定部材２２１Ａがそのボス１１１Ａのネジ穴にネジ止めされる。また、３つのボス１１１Ａ，１１２Ａ，１１３Ａのうちの残りの２つのボス１１２Ａ，１１３Ａは、ロック穴２３Ａ（図１を合わせて参照）の直ぐ両側に配置されている。図１４には、図１に示すノートＰＣ１０Ａの上カバー部材１０１Ａの内面も示されている。図１に示すノートＰＣ１０Ａの場合は、スイッチモジュール２２０Ａが位置規制部１１０Ａにより位置規制された状態において、ネジ止め用の穴２２１ｂＡが、ロック穴２３Ａの、図１４に示す左側（図１に示す状態における右側）のボス１１２Ａと重なる。この状態で、この上カバー部材１０１Ａが底カバー部材１０２Ａ（図１参照）と重ねられ、底カバー部材１０２Ａ側から各ネジが差し込まれ２つのボス１１２Ａ,１１３Ａの各ネジ穴にネジ止めされる。このネジ止めの際、スイッチモジュール２２０Ａの固定部材２２１Ａも穴２２１ｂＡの部分が共締めされる。
【００５２】
図７〜図１２に戻って説明を続ける。
【００５３】
図７〜図９は、図１４と同様、図１に示すノートＰＣ１０Ａの上カバー部材１０１Ａの内面を示している。ここでは、スイッチモジュール２２０Ａが位置規制部１１０Ａによる位置規制を受けた状態で、固定部材２２１Ａの穴２２１ｂＡが、ボス１１２Ａ（図１４参照）の上に乗っている。この状態で、固定部材２２１Ａのもう１つの穴１１１Ａは、ボス１１１Ａの上に乗り（図１４参照）、ネジ２３１Ａ（図７参照）で上カバー部材１０１Ａにネジ止めされる。図９の断面図には、ボス１１２Ａの上に、固定部材２２１Ａの穴１１２ａＡの部分が、そのボス１１２Ａに設けられたネジ穴１１２ａＡと固定部材２２１Ａの穴２２１ｂＡとが連通するように乗った状態が示されている。上カバー部材１０１Ａの場合、ボス１１２Ａの高さは、そのボス１１２Ａの上に固定部材２２１Ａの穴２２１ｂが乗った状態で、もう一方のノートＰＣ１０Ｂの上カバー１０２Ｂの対応するボス１１２Ｂと同じ高さとなるように形成されている。これにより底カバー部材１０２Ａ，１０２Ｂにネジ止めする際に２つのボス１１２Ａ，１１２Ｂの高さが合うようになっている。
【００５４】
図１０〜図１２は、図２に示すノートＰＣ１０Ｂの上カバー部材１０１Ｂの内面を示している。この上カバー部材１０１Ｂも、図７，図１４に示す上カバー部材１０１Ａと同様、スイッチモジュール２２０Ｂの位置を規制する位置規制部１１０Ｂを有する。スイッチモジュール２２０Ｂが位置規制部１１０Ｂによる位置規制を受けた状態で固定部材２２１Ｂの穴２２１ａＢ（図１３の穴２２１ａ参照）がボスの上に重なってネジ２３１Ｂ（図１０参照）でネジ止めされる。またもう一方の穴２２１ｂＢ（図１３の穴２２１ｂ参照）は、２つのボス１１２Ｂ，１１３Ｂのうちの、ロック穴２３Ｂの、図１０〜図１２における右側（図２に示す姿勢における左側）のボス１１３Ｂの上に、ネジ穴１１３ａＢと連通するように重なる。したがって、図１２に示すように、上カバー部材１０１Ｂの場合は、ボス１１３Ｂの方がもう一方のノートＰＣ１０Ａの上カバー部材１０１Ａの対応するボス１１３Ａと比べ、固定部材２２１の穴２２１ｂＢの周囲の部分の厚み分だけ低く形成されている。これにより底カバー部材１０２Ａ，１０２Ｂにネジ止めする際に２つのボス１１３Ａ，１１３Ｂの部分の高さが一致する。
【００５５】
図１５は、図１に示すノートＰＣにおいて、上カバー部材を下にし、その上に底カバー部材を逆さにして配置した分解斜視図である。また、図１６は図１に示すノートＰＣにおいて上カバー部材の上に底カバー部材を置き、２つのボス１１２Ａ，１１３Ａ（図９，図１４参照）のうちの一方のみネジ止めした状態を示した図である。さらに、図１７は、図１６の矢印Ｃ−Ｃに沿う断面図である。底カバー部材１０２Ａには、ハードディスクドライブユニット（以下、「ＨＤＤユニット」と称する）１５０Ａが配置される開口部１０２ａＡを有し、その開口部１０２ａＡの端部には、ネジ止め用の２つの穴１０２ｂＡ，１０２ｃＡが形成されている。これらの穴１０２ｂＡ，１０２ｃＡは、上カバー部材１０１Ａに設けられた２つのボス１１２Ａ，１１３Ａの各ネジ穴とそれぞれ連通する位置に形成されている。また、ＨＤＤユニット１５０Ａにもネジ止め用の２つの穴１５１Ａ，１５２Ａが形成されており、これらの穴１５１Ａ，１５２Ａは底カバー部材１０２Ａの２つの穴１０２ｂＡ，１０２ｃＡのそれぞれと連通する。
【００５６】
スイッチモジュール２２０Ａを、上カバー部材１０１Ａに、図７〜図９に示すように配置した後、上カバー部材１０１Ａと底カバー部材１０２ＡとＨＤＤユニット１５０Ａとを重ねる。こうしておいて、ここには１本だけ示すネジ２３２Ａにより、ＨＤＤユニット１５０Ａ、底カバー部材１０２Ａ，および上カバー部材１０１Ａがネジ止めされる。ここにはネジ２３２Ａは１本のみ示されているが、図示しないもう一本のネジにより、穴１５２Ａ，１０２ｃＡ，ネジ穴１１３ａＡもネジ止めされる。
【００５７】
また、図１８〜図２０は、図２に示すノートＰＣにおける、それぞれ図１５〜図１７と同様の図である。ここでもネジ２３２Ｂにより一方のみネジ止めされているか、図示しないもう一方のネジによりもう一方もネジ止めされる。前述した通り、図２に示すノートＰＣ１０Ｂの底カバー部材１０２Ｂおよびその底カバー部材１０２Ｂに収容される各部品はＨＤＤユニット１５０Ｂも含め、図１に示すノートＰＣ１０Ａの各部品等（ＨＤＤユニット１５０Ａを含む）とそれぞれ同一規格のものである。
【００５８】
ここでは、スイッチモジュール２２０Ｂの固定部材２２１Ｂ（図１３参照）はロック穴２３Ｂの右側（図２に示す姿勢における左側）のボス１１３Ｂに乗っている。ここで、前述したように、図１２に示すボス１１２Ａとその上に乗っている固定部材２２１Ａとを足した高さが、図２０に示すボス１１２Ｂと同じ高さとなっている。一方、図２に示すボス１１３Ｂと固定部材２２１Ａを足した高さが図９に示すボス１１３Ａと同じ高さになっている。こうすることにより、図１，図２のいずれの上カバー部材１０１Ａ，１０１Ｂの場合も、互いに同一の底カバー部材１０２Ａ，１０２Ｂに寸法の狂いなくネジ止めすることができる。ここで、スイッチモジュール２２０についての組立作業手順を考えると、図１、図２のノートＰＣ１０Ａ，１０Ｂのいずれの場合も、図７と図１０に示すようにスイッチモジュール２２０Ａ，２２０Ｂを位置規制部１１０Ａ，１１０Ｂに押し当てて一方のネジ穴１１１Ａ，１１１Ｂ（図１４参照）にネジ止めすればよい。またその後、底カバー部材１０２Ａ，１０２Ｂを重ねて同一箇所についてネジ止めをすればよい。このように２機種のノートＰＣ１０Ａ，１０Ｂを、別々の機種であることをほとんど意識せずに組み立てることができる。また、２つのボス１１２Ａ，１１２Ｂ；１１３Ａ，１１３Ｂは、ロック穴２３Ａ，２３Ｂの両側に立設していて、ロック穴２３Ａ，２３Ｂの両側がネジ止めされる。これにより、ロック穴２３Ａ，２３Ｂの周辺の剛性が高められる。このため、閉状態（図３参照）にあってフック３２Ａ，３２Ｂ（図１，図２参照）が係止している状態で表示ユニット３０Ａ，３０Ｂを不用意に開こうとしても、ロック穴２３Ａ，２３Ｂの周りのたわみが防止される。
【００５９】
図２１は比較例としてのスイッチモジュールとその固定方法を示す分解斜視図、図２２は比較例としてのスイッチモジュールを固定した状態を示す平面図である。
【００６０】
このスイッチカバー２２０Ｃには、ネジ止め用の２つの穴２２１Ｃ，２２２Ｃがもうけられており、２本のネジ２３１Ｃ，２３２Ｃにより上カバー部材１０１Ｃの２つのボス１１２Ｃ，１１３Ｃに形成されたネジ穴にネジ止め固定される。この構成の場合、ロック穴２３Ｃの部分の剛性は、スイッチモジュール２２０Ｃとは別に考慮する必要があり、その分ネジの本数が増え、組立工数も増えることになる。また、この比較例の場合、一機種のみしか考えられておらず、２機種についての作業の共通化という観点はない。
【００６１】
以上はノートＰＣについての説明であるが、本件はノートＰＣに限られず、クリックボタン等の操作ボタンを有する上カバー部材と電子部品が収容された底カバー部材とを有する電子機器一般に適用することができる。また、ここでは、ポインティングデバイスの操作ボタンについて説明したが、本件はポインティングデバイスに限られず、操作ボタンを有する電子機器であれば適用することができる。
【符号の説明】
【００６２】
１０Ａ，１０Ｂ    ノートＰＣ
２０Ａ，２０Ｂ    本体ユニット
２１Ａ，２１Ｂ    キーボード
２２Ａ，２２Ｂ    ポインティングデバイス
２３Ａ，２３Ｂ    ロック穴
２４Ａ，２４Ｂ    開口
２５Ａ，２５Ｂ    奥側の開口
３０Ａ，３０Ｂ    表示ユニット
３１Ａ，３１Ｂ    表示画面
３２Ａ，３２Ｂ    フック
４０Ａ，４０Ｂ    ヒンジ
１００Ａ，１００Ｂ    筐体
１０１Ａ，１０１Ｂ，１０１Ｃ    上カバー部材
１０２Ａ，１０２Ｂ    底カバー部材
１０２ａＡ，１０２ａＢ    開口部
１０２ｂＡ，１０２ｃＡ    穴
１１０Ａ，１１０Ｂ    位置規制部
１１１Ａ，１１２Ａ，１１３Ａ    ボス
１１１ａＡ，１１１ａＢ，１１２ａＡ，１１２ａＢ，１１３ａＡ，１１３ａＢ    ネジ穴
１５０Ａ，１５０Ｂ    ＨＤＤユニット
２２０Ａ，２２０Ｂ    スイッチモジュール
１５１Ａ，１５１Ｂ，１５２Ａ，１５２Ｂ，２２１Ｃ，２２２Ｃ    穴
２２１    固定部材
２２１Ａ    タッチパッド
２２２    スイッチ基板
２２３    スイッチ
２２２Ａ，２２２Ｂ    クリックボタン
２３０Ａ，２３０Ｂ    センサ基板
２３１Ａ，２３１Ｂ，２３２Ａ，２３２Ｂ，２３１Ｃ，２３２Ｃ    ネジ
【図１】
0005445010.tif 000002
【図２】
0005445010.tif 000003
【図３】
0005445010.tif 000004
【図４】
0005445010.tif 000005
【図５】
0005445010.tif 000006
【図６】
0005445010.tif 000007
【図７】
0005445010.tif 000008
【図８】
0005445010.tif 000009
【図９】
0005445010.tif 000010
【図１０】
0005445010.tif 000011
【図１１】
0005445010.tif 000012
【図１２】
0005445010.tif 000013
【図１３】
0005445010.tif 000014
【図１４】
0005445010.tif 000015
【図１５】
0005445010.tif 000016
【図１６】
0005445010.tif 000017
【図１７】
0005445010.tif 000018
【図１８】
0005445010.tif 000019
【図１９】
0005445010.tif 000020
【図２０】
0005445010.tif 000021
【図２１】
0005445010.tif 000022
【図２２】
0005445010.tif 000023